(57)【要約】      （修正有）【課題】着用者がどのような姿勢であっても、且つどのような方向から見た場合であっても着用者を認識させることができる衣服を提供する。【解決手段】着用者の胴体を覆う胴部１２と着用者の腕を覆う腕部１３とを有する上衣服部１１および着用者の脚を覆う脚部２３を覆う下衣服部２１からなる衣服１０であって、前記胴部１２、前記腕部１３および前記脚部２３には、反射材３０ａ〜３０ｇが取り付けられ、前記反射材３０ａ〜３０ｇは、前記衣服１０の着用者による任意の姿勢を周囲３６０°何れの方向から見た場合でも、視認できる位置に取り付けられていることを特徴とする。【選択図】図１
0003180369.tif 000002
【実用新案登録請求の範囲】
【請求項１】
着用者の胴体を覆う胴部と着用者の腕を覆う腕部とを有する上衣服部および着用者の脚を覆う脚部を覆う下衣服部からなる衣服であって、
前記胴部、前記腕部および前記脚部には、反射材が取り付けられ、
前記反射材は、前記衣服の着用者による任意の姿勢を周囲３６０°何れの方向から見た場合でも、視認できる位置に取り付けられていることを特徴とする衣服。
【請求項２】
前記反射材は、着用者を周囲３６０°のうち少なくとも何れかの方向から見たときに、着用者の関節と重なり合う位置に配置されていることを特徴とする請求項１に記載の衣服。
【請求項３】
着用者の胴体を覆う胴部と着用者の腕を覆う腕部とを有する上衣服部および着用者の脚を覆う脚部を覆う下衣服部からなる衣服であって、
前記胴部、前記腕部および前記脚部には、反射材が取り付けられ、
前記腕部に取り付けられる反射材は、着用者を周囲３６０°のうち少なくとも何れかの方向から見たときに、着用者の肘の関節と重なり合う位置に配置されていることを特徴とする衣服。
【請求項４】
前記腕部に取り付けられる反射材は、着用者を周囲３６０°のうち少なくとも何れかの方向から見たときに、着用者の腕の断面略中心を通る腕幹と重なり合う位置に配置されていることを特徴とする請求項３に記載の衣服。
【請求項５】
前記腕部に取り付けられる反射材は、着用者の腕の断面略中心を通る腕幹の周りに環状に配置されていることを特徴とする請求項３に記載の衣服。
【請求項６】
着用者の胴体を覆う胴部と着用者の腕を覆う腕部とを有する上衣服部および着用者の脚を覆う脚部を覆う下衣服部からなる衣服であって、
前記胴部、前記腕部および前記脚部には、反射材が取り付けられ、
前記脚部に取り付けられる反射材は、着用者を周囲３６０°のうち少なくとも何れかの方向から見たときに、着用者の膝の関節と重なり合う位置に配置されていることを特徴とする衣服。
【請求項７】
前記脚部に取り付けられる反射材は、着用者を周囲３６０°のうち少なくとも何れかの方向から見たときに、着用者の脚の断面略中心を通る脚幹と重なり合う位置に配置されていることを特徴とする請求項６に記載の衣服。
【請求項８】
前記脚部に取り付けられる反射材は、着用者の脚の断面略中心を通る脚幹の周りに環状に配置されていることを特徴とする請求項６に記載の衣服。
【請求項９】
着用者の胴体を覆う胴部と着用者の腕を覆う腕部とを有する上衣服部および着用者の脚を覆う脚部を覆う下衣服部からなる衣服であって、
前記胴部、前記腕部および前記脚部には、反射材が取り付けられ、
前記胴部に取り付けられる反射材は、着用者を周囲３６０°のうち少なくとも何れかの方向から見たときに、着用者の胴体の断面略中心を通る胴幹と重なり合う位置に配置されていることを特徴とする衣服。
【考案の詳細な説明】
【技術分野】
【０００１】
本考案は、反射材付き衣服に関する。
【背景技術】
【０００２】
夜間や暗所において車両の運転手に対して人の存在を認識させるために、視認性を向上させるための再帰性反射材を縫合等した反射材付き衣服が実用化されている。例えば特許文献１に開示された反射材付き衣服は、前身頃および後身頃の脇、後身頃の襟ぐり、袖の袖口に複数の再帰性反射片を配置し、接着または縫製によって衣服の表面に取り付けられている。
【先行技術文献】
【特許文献】
【０００３】
【特許文献１】実用新案登録第３１４９２６１号公報
【考案の概要】
【考案が解決しようとする課題】
【０００４】
反射材付き衣服は、着用者がどのような姿勢であっても、且つ着用者をどのような方向から見た場合であっても車両の運転手に対して視認させる必要がある。ここでの姿勢とは、手を挙げたり、立ったり座ったり、うつ伏せになったりした場合に限られず、例えば路上を歩行したり、ジョギングをしたり、二輪車を運転したり、路上作業をしたりする場合も含まれる。また、車両の運転手は、着用者の大きさや着用者の動作を認識することで、着用者の次の行動を予測することができ、より安全に運転することができる。
【０００５】
本考案は、上述したような問題点に鑑みてなされたものであり、着用者がどのような姿勢であっても、且つどのような方向から見た場合であっても着用者を認識させることができる衣服を提供することを目的とする。
【課題を解決するための手段】
【０００６】
本考案は、着用者の胴体を覆う胴部と着用者の腕を覆う腕部とを有する上衣服部および着用者の脚を覆う脚部を覆う下衣服部からなる衣服であって、前記胴部、前記腕部および前記脚部には、反射材が取り付けられ、前記反射材は、前記衣服の着用者による任意の姿勢を周囲３６０°何れの方向から見た場合でも、視認できる位置に取り付けられていることを特徴とする。
【考案の効果】
【０００７】
本考案によれば、着用者がどのような姿勢であっても、且つどのような方向から見た場合であっても着用者を認識させることができる衣服を提供することができる。
【図面の簡単な説明】
【０００８】
【図１】第１の実施形態に係る衣服を示す図である。
【図２】第１の実施形態に係る衣服を夜間で見た場合の図である。
【図３】第２の実施形態に係る衣服を示す図である。
【図４】第２の実施形態に係る衣服を夜間で見た場合の図である。
【図５】人の胴幹、腕幹、脚幹および関節を示す図である。
【考案を実施するための形態】
【０００９】
以下、本考案に係る実施形態について図面を参照して説明する。
（第１の実施形態）
図１は、第１の実施形態に係る衣服を示す図である。
衣服１０は、上衣服（上衣服部）１１と下衣服（下衣服部）２１とを有している。本実施形態の衣服１０は、いわゆる上下で分離可能なトレーニングウェアである。
上衣服１１は、着用者の胴体（ここでは胸、肩を含む）を覆う胴部１２と、腕を覆う腕部１３（１３Ｒ、１３Ｌ）とを有している。胴部１２は前身頃１２ａと後身頃１２ｂとを有し、腕部１３は胴部１２から連続して形成されている。
下衣服２１は、着用者の腰を覆う腰部２２と、脚を覆う脚部２３（２３Ｒ、２３Ｌ）とを有している。
【００１０】
本実施形態の胴部１２、腕部１３および脚部２３には、反射材３０が取り付けられている。ここで、本実施形態の反射材３０は、再帰性反射材が用いられている。再帰性反射材とは、入射光を光源の方向にまっすぐ戻す再帰性反射を実現したものであり、ガラスビーズで光を屈折させるタイプやプリズムで光を屈折させるタイプがある。したがって、車両から反射材３０に向かってライトが入射された場合、車両に向かって再帰することで、運転手が着用者を認識することができる。
【００１１】
本実施形態の衣服１０は、着用者が任意の姿勢をした場合であっても、更に着用者の周囲３６０°何れの方向から見た場合であっても、視認できる位置に反射材３０が取り付けられている。なお、反射材３０は衣服１０に対して接着、縫製、熱転写等によって取り付けることができる。
【００１２】
以下、具体的に反射材３０が取り付けられる位置について説明する。
胴部１２には、反射材３０ａ〜３０ｄが取り付けられている。
反射材３０ａは、着用者の胴幹の周りに環状に配置されている。ここで、胴幹とは、着用者の胴体の断面略中心を通る仮想直線をいうものとする。図５（ａ）〜（ｃ）には、胴幹６１を図示している。ここでは、反射材３０ａは着用者の腹の周りに沿って配置されている。なお、反射材３０ａは複数の反射材が断続して形成された環状であるが、連続して形成された環状であってもよい。反射材３０ａは着用者の胴幹６１の周りに環状に配置されているので、着用者がどのような姿勢をした場合であっても、着用者の周囲３６０°の何れの方向から見たときでも反射材３０ａを視認することができる。
【００１３】
反射材３０ｂは、一つの底辺がない等脚台形状に配置されている。反射材３０ｂは、図１（ａ）に示す正面および図１（ｃ）に示す背面から見たとき、胴幹６１に対して左右対称に配置されている。反射材３０ｂのうち、上下方向に沿ったライン状の反射材は、胴幹６１と同方向に形成され、着用者の周囲３６０°のうち例えば図１（ａ）の正面と図１（ｂ）の側面との中間ぐらいの角度から見たときに胴幹６１と重なり合う位置に配置されている。また、反射材３０ｂは胴部１２のうち前身頃１２ａの左右、後身頃１２ｂの左右に配置されているので、着用者がどのような姿勢をした場合であっても、着用者の周囲３６０°の何れの方向から見たときでも反射材３０ｂを視認することができる。
【００１４】
反射材３０ｃは、着用者の両肩に相当する位置に配置されている。反射材３０ｃは、図１（ａ）の正面または図１（ｃ）の背面から見たときに着用者の大きさを認識させる役割を有する。
反射材３０ｄは、胴部１２のうち後身頃１２ｂにのみ配置されている。反射材３０ｄは、反射材３０ａ、反射材３０ｂに囲まれた領域内で、胴幹６１に対して直交するライン状に配置されている。なお、反射材３０ｄは複数の反射材が断続して形成されたライン状であるが、連続して形成されたライン状であってもよい。
【００１５】
腕部１３には、反射材３０ｅ、３０ｆが取り付けられている。
反射材３０ｅは、着用者の腕幹の周りに環状に配置されている。ここで、腕幹とは、着用者の腕の断面略中心を通る仮想直線をいうものとする。図５（ａ）〜（ｃ）には、腕幹６２を図示している。ここでは、反射材３０ｅは着用者の肘と手首との間であって、やや手首側の周りに沿って配置されている。なお、反射材３０ｅは複数の反射材が断続して形成された環状であるが、連続して形成された環状であってもよい。反射材３０ｅは着用者の腕幹６２の周りに環状に配置されているので、着用者がどのような姿勢をした場合であっても、着用者の周囲３６０°の何れの方向から見たときでも反射材３０ｅを視認することができる。
【００１６】
反射材３０ｆは、腕部１３の前後で腕部１３の長手方向に沿ったライン状に配置されている。なお、反射材３０ｆは複数の反射材が断続して形成されたライン状であるが、連続して形成されたライン状であってもよい。反射材３０ｆは、図１（ａ）に示す正面および図１（ｃ）に示す背面から見たときに腕幹６２と重なり合う位置に配置されている。したがって、着用者がどのような姿勢をした場合であっても、着用者の周囲３６０°の何れの方向から見たときでも反射材３０ｆを視認することができる。
更に、反射材３０ｆは、図１（ａ）に示す正面および図１（ｃ）に示す背面から見たときに肘の関節と重なり合う位置に配置されている。図５（ａ）〜（ｃ）には、肘の関節６３を図示している。なお、図１には、破線で肘の関節６３を示している。人は関節を動かすことで姿勢を変化させたり動作をしたりする。したがって、反射材３０ｆを肘の関節６３と重なり合う位置に配置することで、反射材３０ｆを視認したときに、着用者の動作をすぐに認識することができると共に着用者の次の行動も予測することができる。
【００１７】
脚部２３には、反射材３０ｇ、３０ｈが取り付けられている。
反射材３０ｇは、着用者の脚幹の周りに環状に配置されている。ここで、脚幹とは、着用者の脚の断面略中心を通る仮想直線をいうものとする。図５（ａ）〜（ｃ）には、脚幹６４を図示している。ここでは、反射材３０ｇは着用者の膝と足首との略中間の周りに沿って配置されている。なお、反射材３０ｇは複数の反射材が断続して形成された環状であるが、連続して形成された環状であってもよい。反射材３０ｇは着用者の脚幹６４の周りに環状に配置されているので、着用者がどのような姿勢をした場合であっても、着用者の周囲３６０°の何れの方向から見たときでも反射材３０ｇを視認することができる。
【００１８】
反射材３０ｈは、図１（ｂ）に示す側面から見たときに脚幹６４に沿って長い多角形状（ここでは六角形状）に配置されている。また、反射材３０ｈは、図１（ａ）に示す正面および図１（ｃ）に示す背面から見たとき、一つの底辺がない等脚台形状に配置され、各脚部２３に左右対称に配置されている。また、反射材３０ｈのうち、上下方向に沿ったライン状の反射材は、脚幹６４と同方向に形成され、着用者の周囲３６０°のうち例えば図１（ａ）の正面と図１（ｂ）の側面との中間ぐらいの角度から見たときに脚幹６４と重なり合う位置に配置されている。また、反射材３０ｈは脚部２３の前、側方、後に亘って配置されているので、着用者がどのような姿勢をした場合であっても、着用者の周囲３６０°の何れの方向から見たときでも左右の脚部２３の何れかの反射材３０ｈを視認することができる。
更に、反射材３０ｈのうち、上下方向に沿ったライン状の反射材は、図１（ａ）の正面と図１（ｂ）に示す側面との中間ぐらいの角度、あるいは図１（ｂ）に示す側面と図１（ｃ）に示す背面との中間ぐらいの角度から見たときに膝の関節と重なり合う位置に配置されている。図５（ａ）〜（ｃ）には、膝の関節６５を図示している。なお、図１には、破線で膝の関節６５を示している。人は関節を動かすことで姿勢を変化させたり動作をしたりする。したがって、反射材３０ｆを膝の関節６５と重なり合う位置に配置することで、反射材３０ｈを視認したときに、着用者の動作をすぐに認識することができると共に次の行動も予測することができる。
【００１９】
図２（ａ）〜（ｃ）はそれぞれ、夜間に車両の運転手が図１（ａ）〜（ｃ）に示す方向から見たときの衣服１０の反射材３０による反射状態を示す図である。図２（ａ）〜（ｃ）に示す何れの方向からでも反射材３０ａ〜反射材３０ｈを認識することができる。
【００２０】
このように本実施形態の衣服１０によれば、胴部１２、腕部１３および脚部２３には、着用者がどのような姿勢であっても、着用者の周囲３６０°何れの方向から見た場合であっても、視認できる位置に反射材３０が取り付けられている。したがって、車両の運転者は、着用者がどのような姿勢であっても、且つどのような方向から見た場合であっても着用者を認識することができる。
また、反射材３０ｅは腕部１３のうち肘よりも手首側の位置に配置され、反射材３０ｇは脚部２３のうち膝よりも足首側の位置に配置されている。例えば着用者が障害物から現れる場合には、まず腕および脚が露出される。したがって、着用者が障害物から現れた場合には、車両の運転者は障害物から着用者の腕部１３の反射材３０ｅおよび脚部２３の反射材３０ｇを即座に視認できることから、着用者を早期に認識することができる。
【００２１】
（第２の実施形態）
図３は、第２の実施形態に係る衣服を示す図である。本実施形態の衣服４０は、第１の実施形態と同様に、いわゆる上下で分離可能なトレーニングウェアである。本実施形態の衣服４０は反射材が取り付けられている位置が第１の実施形態の衣服１０と異なっている。なお、その他の構成は第１の実施形態と同様であり同一符号を付して、その説明を省略する。
【００２２】
以下、具体的に反射材５０が取り付けられている位置について説明する。
胴部１２には、反射材５０ａ〜５０ｄが取り付けられている。
反射材５０ａは、前身頃１２ａの上下方向に沿ったライン状に配置されている。反射材５０ａは、図３（ａ）に示す正面から見たとき、胴幹６１と重なり合う位置に配置されている。
反射材５０ｂは、前身頃１２ａの略水平方向に沿ったライン状に配置されている。反射材５０ｂは、図３（ａ）に示す正面から見たときに肩の関節から反射材５０ａに向かって徐々に先細りになっている。図５（ａ）〜（ｃ）には、肩の関節６６を図示している。なお。図３には、破線で肩の関節６６を示している。
【００２３】
反射材５０ｃは、後身頃１２ｂの略上下方向と略水平方向とに沿って連続した略Ｌ字のライン状に配置されている。反射材５０ｃは、図３（ｃ）に示す背面から見たとき、胴幹６１に対して左右対称に配置されている。反射材５０ｃのうち、略上下方向に沿ったライン状の反射材は、胴幹６１と略同方向に形成され、図３（ｂ）に示す側面と図３（ｃ）に示す背面との中間ぐらいの角度から見たときに胴幹６１と重なり合う位置に配置されている。
反射材５０ｄは、着用者の胴幹６１の周りに環状に配置されている。反射材５０ｄは、胴部１２の襟１２ｃの周りに沿って環状に配置されている。反射材５０ｄは着用者の胴幹６１の周りに環状に配置されているので、着用者がどのような姿勢をした場合であっても、着用者の周囲３６０°の何れの方向から見たときでも反射材５０ｄを視認することができる。
【００２４】
腕部１３には、反射材５０ｅ、５０ｆが取り付けられている。
反射材５０ｅは、着用者の腕幹６２の周りに環状に配置されている。ここでは、反射材５０ｅは着用者の肩と肘との略中間の周りに沿って配置されると共に、肘と手首との略中間の周りに沿って配置されている。反射材５０ｅは着用者の腕幹６２の周りに環状に配置されているので、着用者がどのような姿勢をした場合であっても、着用者の周囲３６０°の何れの方向から見たときでも反射材５０ｅを視認することができる。
【００２５】
反射材５０ｆは、腕部１３の側方で腕部１３の長手方向に沿ったライン状に配置されている。反射材５０ｆは、図３（ｂ）に示す側面から見たときに腕幹６２と重なり合う位置に配置されている。更に、反射材５０ｆは、図３（ｂ）に示す側面から見たときに肩の関節６６、肘の関節６３および手首の関節と重なり合い、図３（ｂ）に示す側面から見たときに各関節を繋ぐように配置されている。図５（ａ）〜（ｃ）には、手首の関節６７を図示している。なお、図３には、破線で手首の関節６７を示している。人は関節を動かすことで姿勢を変化させたり動作をしたりする。したがって、反射材５０ｆを肩の関節６６、肘の関節６３および手首の関節６７と重なり合う位置に配置することで、反射材５０ｆを視認したときに、着用者の動作をすぐに認識することができると共に着用者の次の行動も予測することができる。
【００２６】
脚部２３には、反射材５０ｇ、５０ｈが取り付けられている。
反射材５０ｇは、着用者の脚幹６４の周りに環状に配置されている。ここでは、反射材５０ｇは着用者の膝と足首との略中間の周りに沿って２つ配置されている。反射材５０ｇは着用者の脚幹６４の周りに環状に配置されているので、着用者がどのような姿勢をした場合であっても、着用者の周囲３６０°の何れの方向から見たときでも反射材５０ｇを視認することができる。
【００２７】
反射材５０ｈは、腕部１３の側方に長手方向に沿ったライン状に配置されている。反射材５０ｈは、図３（ｂ）に示す側面から見たときに脚幹６４と重なり合う位置に配置されている。更に、反射材５０ｈは、図３（ｂ）に示す側面から見たときに股の関節、膝の関節６５および足首の関節と重なり合い、図３（ｂ）に示す側面から見たときに各関節を繋ぐように配置されている。図５（ａ）〜（ｃ）には、股の関節６８および足首の関節６９を図示している。なお、図３には、破線で股の関節６８および足首の関節６９を示している。人は関節を動かすことで姿勢を変化させたり動作をしたりする。したがって、反射材５０ｈを股の関節６８、膝の関節６５および足首の関節６９と重なり合う位置に配置することで、反射材５０ｈを視認したときに、着用者の動作をすぐに認識することができると共に次の行動も予測することができる。
【００２８】
図４（ａ）〜（ｃ）はそれぞれ、夜間に車両の運転手が図３（ａ）〜（ｃ）に示す方向から見たときの衣服４０の反射材５０による反射状態を示す図である。図４（ａ）〜（ｃ）に示す何れの方向からでも反射材５０ａ〜反射材５０ｈを認識することができる。
【００２９】
このように本実施形態の衣服４０によれば、胴部１２、腕部１３および脚部２３には、着用者がどのような姿勢であっても、着用者の周囲３６０°何れの方向から見た場合であっても、視認できる位置に反射材５０が取り付けられている。したがって、車両の運転者は、着用者がどのような姿勢であっても、且つどのような方向から見た場合であっても着用者を認識することができる。
また、反射材５０ｅのうち一部は腕部１３のうち肘よりも手首側の位置に配置され、反射材５０ｇは脚部２３のうち膝よりも足首側の位置に配置されている。例えば着用者が障害物から現れる場合には、まず腕および脚が露出される。したがって、着用者が障害物から現れた場合には、車両の運転者は障害物から着用者の腕部１３の反射材５０ｅおよび脚部２３の反射材５０ｇを即座に視認できることから、着用者を早期に認識することができる。
【００３０】
以上、本考案に係る実施形態について説明したが、本考案は上述した実施形態にのみ限定されるものではなく、本考案の範囲内で変更等が可能である。
例えば、第１の実施形態および第２の実施形態では、衣服としてトレーニングウェアを取り上げて説明したが、この場合に限られず、作業服等の他の衣服であってもよい。また、衣服として上下に分離された衣服を取り上げて説明したが、この場合に限られず、上下一体の衣服であってもよい。
また、図１および図３では、起立状態（直立状態）の着用者を示しているが、他の姿勢であっても、反射材３０、５０を上述したような位置に配置したことで、どのような方向からでも着用者を認識することができる。
【００３１】
また、胴幹６１、腕幹６２または脚幹６４の周りに環状に配置される反射材は、第１の実施形態および第２の実施形態で例示した場合に限られず、例えば図５の実線で示すような、肘の周り、手首の周り、胸の周り、股の関節を中心とした股の周り、太腿の周り、膝の周り、足首の周り等であってもよい。
また、第１の実施形態および第２の実施形態では、反射材３０、５０の形状がライン状、環状、多角形等である場合について説明したが、三角形や四角形等の多角形、円または変形した個体の形状等であってもよい。
また、第２の実施形態では、反射材５０が連続して形成されるものについて説明したが、この場合に限られず、断続して形成されるものであってもよい。
【符号の説明】
【００３２】
１０：衣服  １１：上衣服（上衣服部）  １２：胴部  １３（１３Ｒ、１３Ｌ）：腕部  ２１：下衣服（下衣服部）  ２２：腰部  ２３：脚部  ３０（３０ａ〜３０ｇ）：反射材  ４０：衣服  ５０（５０ａ〜５０ｇ）：反射材  ６１：胴幹  ６２：腕幹  ６３：肘の関節  ６４：脚幹  ６５：膝の関節  ６６：肩の関節  ６７：手首の関節  ６８：股の関節  ６９：足首の関節
【図１】
0003180369.tif 000003
【図２】
0003180369.tif 000004
【図３】
0003180369.tif 000005
【図４】
0003180369.tif 000006
【図５】
0003180369.tif 000007